(57)【要約】      （修正有）【課題】スキー板とスノーボードとを同時保管することによって、利用上の煩雑を解消するとともに、利用料金の割安感を向上させる。【解決手段】スキー板を保管するための無蓋無底の格納部３２と、該格納部の前面に設けた開閉ドア３１と、コインの投入によって当該開閉ドアをロック可能とする施錠装置３３とを備える装置を技術的前提として、開閉ドアに隣接してスノーボードを保管するための凹部４０を設ける一方、スノーボードのビンディングに挿通させるワイヤ５０を設け、このワイヤは、一端を前記凹部４０の近傍に固定し、他端を、前記開閉ドア３１に着脱可能に係着させる。【選択図】図１
0003119105.tif 000002
【実用新案登録請求の範囲】
【請求項１】
スキー板を保管するための無蓋無底の格納部と、該格納部の前面に設けた開閉ドアと、コインの投入によって当該開閉ドアをロック可能とする施錠装置とを備えるゲレンデ用のロッカー装置において、
前記開閉ドアに隣接してスノーボードを保管するための凹部と、
スノーボードのビンディングに挿通させるワイヤとを備え、
このワイヤは、一端を前記凹部の近傍に固定してなり、他端を、前記開閉ドアに着脱可能に係着させてなることを特徴とするゲレンデ用のロッカー装置。
【請求項２】
ワイヤは、その端部にループを備え、
開閉ドアは、当該ループを係着させる係止部を備えることを特徴とする請求項１記載のゲレンデ用のロッカー装置。
【請求項３】
スノーボードを保管するための凹部は、スキー板を保管するための開閉ドアの横に隣接して配してなることを特徴とする請求項１記載のゲレンデ用のロッカー装置。
【考案の詳細な説明】
【技術分野】
【０００１】
本考案は、冬季スポーツ用のゲレンデで用いるロッカー装置に係り、とくに、スキー板とスノーボードとを同時に保管可能とするロッカー装置に関する。
【背景技術】
【０００２】
冬場のゲレンデでは、スキー板を有料で保管するロッカー装置が用いられる。スキー用のロッカー装置は、図３に示すように、ロッカー本体１と、このロッカー本体１を固定するフレーム５とを備える。
【０００３】
ロッカー本体１は、無底無蓋の格納部２と、この格納部２の前面を閉じる開閉ドア３とを備え、コインの投入によって開閉ドア３をロックする施錠装置４とからなる。格納部２は、例えば、施錠装置４の一側面に略Ｌ字状のパネル材を固定して全体として平面略コ字状の空間をもつよう画成してある。４−１は、施錠装置４のコイン投入口、４−２は、施錠装置４のキーの差込口である。施錠装置４は、開閉ドア３を例えば機械的にまたは電磁式にロックする。
【０００４】
開閉ドア３は、スキー板の全体を覆う必要がないため、その大きさはスキー板よりも小さい面積で設計できる。開閉ドア３の開閉制御はいわゆる小荷物保管用のコインロッカーと同様、コイン投入口４−１に金銭を投入し、スキー板を入れて開閉ドア３を閉じ、施錠キーを回して抜き取る。施錠キーを抜き取ることで、ロック装置が働き、開閉ドア３は施錠閉塞の状態を保つ。
【０００５】
スキー板には、ブーツを装着するためのビンディング（ブーツ装着具）があるため、開閉ドア３が閉じた状態では、スキー板を上に動かしてもビンディングが邪魔になって抜き取りは不能となる。
【０００６】
一方、スノーボードの普及によって、近時、スノーボードを有料で保管するロッカー装置もみられるようになった。スノーボード用のロッカー装置の構造は、スキー用のロッカー装置と略同様の構成をとる。
【０００７】
スノーボードも、ブーツを装着するためのビンディング（ブーツ装着具）があるため、ロッカーの開閉ドアを閉じた状態では、ビンディングが開閉ドアに遮られてスノーボードが係止状態となり、板を上下に動かしても抜き取り不能な状態となる。
【特許文献１】なし
【考案の開示】
【考案が解決しようとする課題】
【０００８】
問題は、従来のロッカー装置では、スキー板とスノーボードを別々の専用ロッカーに保管する必要がある点である。
【０００９】
別々のロッカー装置を用いると、ゲレンデの保管場所に空間的な余裕が少ない場合は保管できる台数（つまり利用客数）が制約されるし、利用者からすれば、別々のロッカーにスキー板とスノーボードを保管する煩わしさがあり、しかも利用料金がそれぞれにかかるという不合理がある。
【００１０】
ゲレンデに遊びに来る利用者は、必ずしも、スキーならスキーだけ、スノーボードならスノーボードだけを楽しむのではない。長期滞在者を含め、短期滞在でも、スキーとスノーボードの両方を楽しむケースも少なくない。
【００１１】
そこで、本考案の目的は、スキー板とスノーボードとを同時保管することによって、利用上の煩雑を解消するとともに、利用料金の割安感を向上させることにある。
【課題を解決するための手段】
【００１２】
前記目的を達成するため、本考案に係るゲレンデ用のロッカー装置は、スキー板を保管するための無蓋無底の格納部と、該格納部の前面に設けた開閉ドアと、コインの投入によって当該開閉ドアをロック可能とする施錠装置とを備える装置を技術的前提として、前記開閉ドアに隣接してスノーボードを保管するための凹部を設ける一方、スノーボードのビンディングに挿通させるワイヤを設け、このワイヤは、一端を前記凹部の近傍に固定し、他端を、前記開閉ドアに着脱可能に係着させる（請求項１）。
【００１３】
このロッカー装置によれば、コインの投入によってスキー用ロッカーが利用可能となるとともに、開閉ドアに固定ワイヤの一端を係着できる。このため、凹部にスノーボードを納めてビンディングにワイヤを挿通させ、ワイヤの一端を開閉ドアに係着させて開閉ドアをロックすれば、一回のコイン投入によって、スキー板とスノーボードの両方を同時に抜き取り不能な状態で保管できる。
【００１４】
請求項２は、ワイヤを開閉ドアに係着させる手段に関するもので、ワイヤの他端にループを設け、開閉ドアは、当該ループを係着させる係止部を備えるよう構成する場合がある。
【００１５】
ワイヤは、一端が固定され、他端が開閉ドアに対して着脱自在になっていればよい。ワイヤの他端をループ状にして開閉ドアに係着する構造をとれば、最も簡単に、誰でも誤操作なく使用することができる。
【００１６】
スノーボードを保管するための凹部は、スキー板を保管するための開閉ドアの横に隣接して配することが望ましい（請求項３）。開閉ドアと凹部は、前後方向にも隣接させて配置できる。しかしながら、横に並べて隣接配置することにより使いやすさは確実に向上する。
【考案の効果】
【００１７】
本考案に係るゲレンデ用のロッカー装置によれば、スキー板とスノーボードとを同時に保管でき、利用上の煩雑を解消し、利用料金の割安感を向上させることができる。
【考案を実施するための最良の形態】
【００１８】
図１は、本考案に係るゲレンデ用のロッカー装置の実施形態を例示するものである。
【００１９】
このゲレンデ用のロッカー装置１０は、スタンド２０に複数のスキー用ロッカー３０を並設して配するとともに、各スキー用ロッカー３０に隣接してスノーボードを収容するための凹部４０を設けてあり、凹部４０に納めたスノーボードの盗難を防ぐためのワイヤロープ５０を設けてなる。
【００２０】
スタンド２０は、金属または樹脂で成形し、例えば、荷物の置台を兼ねる基台２１と、左右に立設した縦材２２と、スキー用ロッカー３０を配設するための上部横材２３とを備える。
【００２１】
基台２１は、重量バランスを図ることの出来る構造であればよく、例えば、左右二本のアーム２４と、このアーム２４に掛け渡した複数本の補強材２５と、縦材２２を補強するための筋交２７とを備える。筋交２７は、縦材２２とアーム２４とに例えば斜めに傾斜させて配する。
【００２２】
スキー用ロッカー３０は、正面に開閉ドア３１がある無底無蓋の格納部３２と、コインの投入によって開閉ドア３１と、この開閉ドア３１をロックする施錠装置３３とを備える。格納部３２は、例えば、従来と同様、施錠装置３３の一側面に略Ｌ字状のパネル材を固定して全体として平面略コ字状の空間をもつよう画成する。
【００２３】
スキー用ロッカー３０は従来から公知のものを利用できる。例えば、図２にも示すように、格納部３２は、平面略コ字状をなしており正面の開放部に開閉ドア３１を備える。開閉ドア３１を、コインの投入によってロックする施錠装置３３も公知のもの利用できる。例えば、コインの投入口３４から利用料金（金銭硬貨）を投入し、施錠キー３５を回すことによって開閉ドア３１をロックする既存装置である。
【００２４】
検銭器の構造および開閉ドア３１のロック機構の構造は各種あるが、検銭器はコインの外径を検出する機械的な構造のものでも磁気利用のものでもよい。また開閉ドア３１のロックも機械的ロックとソレノイド利用のロック構造があるが、いずれを用いても良い。格納部３２は、長尺のスキー板を保管する性質上、上面および底面が開放されており、スキー板の差し入れの支障にならないよう正面は開放してあり、開閉ドア３１を開けることによってスキー板を自由に出し入れできるようにしてある。
【００２５】
ただし、開閉ドア３１の開け閉めによる格納部３２の側板のゆがみや変形を防止するため、開閉ドア３１の蝶番３７を配する部位には補強材３８を設けておくことが望ましい。この補強材３８は、例えば、断面Ｌ字状の板材または断面コ字状のチャンネル材（溝材）を利用する。
【００２６】
スノーボードを収容するための凹部４０は、必ずしも、特別の部品や部材を用いて構成する必要はない。最も簡単には、スタンド２０の上部横材２３に、所定間隔の隙間（４０）を設けてスキー用ロッカー３０を配設する。このようにすれば、スタンド２０の上部横材２３が背板となり、左右二つのスキー用ロッカー３０の側板が側壁となって、スノーボードを収容できる平面略コ字状の凹部４０となる。
【００２７】
スノーボードの盗難を防ぐワイヤロープ５０は、例えば、その一端をスキー用ロッカー３０の補強材３８の下端部に固定し、他端を、開閉ドア３１に着脱自在に係着する。例えば、ワイヤロープ５０の両端部にループ５１、５２を設けておき、一方のループ５１を、スキー用ロッカー３０の補強材３８の下端部に配した金具に着脱不能に固定する一方、他方のループ５２を、開閉ドア３１の先端凸部Ｒに引っかけて利用する。
【００２８】
開閉ドア３１の先端凸部Ｒは、扉を閉めるときに、施錠装置３３に当接する部位である。蝶番３７の取り付け位置とは逆位置にあり、コインの投入口３４、施錠キー３５の差し込み口、コインの返却口３９の支障にならないよう面積を小さくしてある。この部位は上下寸法が小さい。このため、ループ５２の大きさを適宜調整することにより、ループ５２を着脱可能に係着させることが可能である。
【００２９】
従って、かかる構成によれば、ゲレンデの設備利用者は、施錠装置３３に対する一回の金銭投入により、従来通り、スキー用ロッカー３０の利用が出来るとともに、ワイヤロープ５０を利用することによって、凹部４０に納めたスノーボードを同時に保管することが出来る。
【００３０】
スノーボードを保管するときは、開閉ドア３１を開いてループ５２の係着をはずし、ワイヤロープ５０をスノーボードのビンディング（ブーツの装着装置）に挿通させた後、ループ５２を開閉ドア３１の先端凸部Ｒに係着させてドアをロックすればよい。スキー板を格納部３２に納めても納めなくても、いずれでも利用できるので、スキー板またはスノーボードのどちらか一方だけを利用するユーザーにとっては特に割安感はないが、両方を同時利用するものにとっては、割安感だけでなく保管時の煩雑が確実に解消される。
【００３１】
本願考案に係るゲレンデ用のロッカー装置は、前記説明のものに限定されない。例えば、スノーボードを保管する凹部（４０）は、スキー用ロッカー３０に並設させず背後の位置に設けても良い。また、スノーボードを保管する凹部（４０）は、専用部材を用いて構成しても良い。
【００３２】
ワイヤロープ５０は、一端をスキー用ロッカー３０の補強材３８の下端部に固定する旨説明したが、固定する部位は限定されない。凹部（４０）の近傍箇所に着脱不能に固定されていればよい。また開閉ドア３１に対してワイヤロープ５０を着脱自在に係止するためには、開閉ドア３１の先端凸部Ｒにループ５２を係着させる方式に限らない。例えば、開閉ドア３１の裏面に設けた開閉式の係合フックにループ５２を係着させ、開閉ドア３１を開かない限りループ５２を外せない構造としてもよい。
【図面の簡単な説明】
【００３３】
【図１】実施形態に係るゲレンデ用のロッカー装置を例示する全体構成図である。
【図２】実施形態に係るスキー用ロッカーを拡大して示す斜視図である。
【図３】従来のスキー用ロッカーを例示する図である。
【符号の説明】
【００３４】
１０  ゲレンデ用のロッカー装置
２０  スタンド
２１  基台
２２  縦材
２３  上部横材
２４  アーム
２５  補強材
２７  筋交
３０  スキー用ロッカー
３１  開閉ドア
３２  格納部
３３  施錠装置
３４  コインの投入口
３５  施錠キー
３９  コインの返却口
４０  凹部
５０  ワイヤロープ
５１、５２  ループ
Ｒ  （開閉ドアの）先端凸部
【図１】
0003119105.tif 000003
【図２】
0003119105.tif 000004
【図３】
0003119105.tif 000005